(57)【特許請求の範囲】
【請求項１】
高圧空気が供給可能な閉空間に形成されて縦設されるビームの前方にステーを介してはつ土板を取り付けた組を前後左右にずらせて複数設けたプラウ式耕耘装置において、はつ土板を隣のビームに対して左右投影面が重複するように取り付けるとともに、ビームの底に側方に向けて孔をあけ、この孔から噴出させた高圧空気で前方のはつ土板で耕起されて放擲されている耕土を粉砕することを特徴とするプラウ式耕耘装置。
【請求項２】
はつ土板が両側反転式か片側反転式である請求項１のプラウ式耕耘装置。
【発明の詳細な説明】
【０００１】
【発明の属する技術分野】
本発明は、プラウ式耕耘装置に関するものである。
【０００２】
【従来の技術】
田や畑の土を耕すには、最近では、もっぱらロータリ式耕耘装置を乗用トラクターで牽引して行っている。これによると、一度の作業で土の耕起、破砕ができて能率的であるのがその理由である。しかし、ロータリ軸がつかえるからロータリ爪の丈以上は深耕ができない、所要動力が大きい、ロータリ爪が土を叩く振動で作業者が疲労する、といった欠点がある。
【０００３】
一方、耕耘装置にはプラウもある。プラウによる耕耘は、深耕ができること、表土と底度との入れ替え性が良いこと、連続耕耘であるから振動がない、土を切り起こすことから所要動力が少なくてすむ、といった長所を有している。しかし、破砕性に劣るのが欠点である。このため、プラウで耕起した土は、何らかの破砕作業が必要になる。
【０００４】
【発明が解決しようとする課題】
本発明は、このプラウに土の破砕機能を付与することで、その長所を生かしたものであるが、ロータリ爪のような機械的なものによって破砕するのではなく、高圧空気を利用して砕土するようにしたものである。
【０００５】
【課題を解決するための手段】
以上の課題の下、本発明は、高圧空気が供給可能な閉空間に形成されて縦設されるビームの前方にステーを介してはつ土板を取り付けた組を前後左右にずらせて複数設けたプラウ式耕耘装置において、はつ土板を隣のビームに対して左右投影面が重複するように取り付けるとともに、ビームの底に側方に向けて孔をあけ、この孔から噴出させた高圧空気で前方のはつ土板で耕起されて放擲されている耕土を粉砕することを特徴とするプラウ式耕耘装置を提供したものである。
【０００６】
以上の手段により、はつ土板で耕起された土には高圧空気が吹き付けられるから、土はこれによって破砕される。この場合において、土の破砕はビームから噴出する高圧空気によるものであるから、破砕土粒間に多くの空気を含み、土壌中の気相割合が増えて作物の生育環境を向上させる。又、高圧空気の圧力や量によって破砕の程度（土粒の大きさ）も調整できる。
【０００７】
この場合、プラウの構造形式は問わない。プラウのはつ土板には、中央に稜線を設けて耕起した土を両側に反転させるものと、はつ土板を一方に捩じって片側に反転させるものとがあるが、多連型にした場合に未耕起部分を多く残さないことから後者の方が適する。
【０００８】
【発明の実施の形態】
以下、本発明の実施の形態を図面を参照して説明する。図１は本発明の耕耘装置を乗用トラクターで牽引している状態を示す側面図、図２は平面図、図３は耕耘装置の正面図であるが、この耕耘装置は、フレーム１から垂下されるビーム２の前方にステー３を介してはつ土板４を取り付けたプラウ５であり、これをフレーム１に多連（本例では４連のものを示したが、これに限定されない）に取り付けたものである。尚、本例のはつ土板４は、片側反転式のものであり、これを前後にずらせて耕起幅が重複するように配している。
【０００９】
この場合のフレーム１は、前後二つの縦フレーム１ａに数個の横フレーム１ｂを掛け渡した四角形をしているものであり、ビーム２はこの横フレーム１ｂから垂下させている。そして、フレーム１とビーム２の内部には相互に連通する空間６が形成されており、かつ、この空間６は閉空間に形成されている。加えて、ビーム２の底部付近には、左右方向に向けて孔７が形成されている。この孔７は、空間６に供給された高圧空気を噴出させるためのものである。
【００１０】
高圧空気は、コンプレッサー８で発生させる。本例のコンプレッサー８は、トラクターの消費動力を少なくするため、エンジン９で駆動されるものを示しており、コンプレッサー８とエンジン９は、空気タンク１０の上にセットで配置されている。このコンプレッサー８をフレーム１の上に固定し、空気タンク１０に貯められた高圧空気を送気管１１を介して開閉弁１２に導き、その吐出口１３をフレーム１の空間６に連通させている。
【００１１】
この開閉弁１２は、高圧空気の吐出をオンオフするためのものであり、遠隔で制御できるものが好ましい。又、空気タンク１０の容量はそれほど大きくなくてもよい。以上の耕耘装置は、トラクター１４に装着されて牽引される。このため、縦フレーム１ａにトラクターの上部リンク１５及び下部リンク１６が連結できるヒッチ部１７を設けている。但し、本例は、乗用型のトラクター１４を示しているが、歩行型であってもよい。
【００１２】
図４、図５は以上の耕耘装置によって土を耕耘する場合の平面及び断面説明図であるが、耕耘装置を土に作用させて進行させると、土は、はつ土板４によって切り取られ、切り取られた土塊は、はつ土板４の表面に沿って上昇し、９０°以上反転されて放擲される。しかし、このとき、後方のビーム２の孔６から高圧空気が噴出されることで、放擲中の土塊は破砕される。即ち、普通であると、切り起こされた土１８は、そのままで（或いは多少割れて）隣の耕起穴１９の中に落下するのであるが、このように高圧空気を噴出すると、細かく砕かれた土粒２０となって耕起穴１９に落下するのである（図５）。
【００１３】
この意味から、孔７はビーム２の側面に設けられて高圧空気は側方に噴出されるのが適し、中でも両側方に噴出されるのが好ましい。反転側と違う側の孔６から噴出された高圧空気は、隣のはつ土板４で切り起こされた土１８の破砕に関与し、破砕度が上がるからである。但し、孔７をビーム２の前面及び／又は後面に設けて前後方向へ噴出させてもよい。又、孔７の数は一つに限らず、複数であってもよい。更に、その大きさも任意であるが、高圧状態を維持できる大きさにする必要がある。更に、孔７の位置も適当でよいが、破砕能力を高めるためには、できるだけ下方の方が好ましい。
【００１４】
図６は孔７の形状の他の例を示すプラウ５の一部斜視図であるが、本例のものは、孔７を前後に横長にしたものである。こうすると、作用域が前後に長くなり、破砕により寄与するものとなる。図７も同様の一部斜視図であるが、本例のものは、ビーム２に更に前後に横長のノズル２１を設け、これに孔７を形成したものであり、これに加えて、ノズル２１をやや上向きにしたものである。こうすると、放擲される土塊に対して下から高圧空気が吹き上げるものとなり、一層の破砕効果が期待できる。
【００１５】
以上、本発明の基本的な形態について説明したが、本発明は、この他に種々改変された形態をとる。例えば、フレーム１の後方に破砕した土粒２０を均平にするとともに、更に破砕する均平板２２を設けることもある。又、コンプレッサー８の動力は、トラクター１４に装備されたＰＴＯ軸２３を利用し、これから自在継手（図示省略）を介して伝達してもよい。
【００１６】
更に、図示は省略するが、フレーム１全体に閉空間を形成するのではなく、各ビーム２に独立した空間を形成し、これに高圧空気を開閉弁１２からホース等で導いてもよい。この他、プラウ５は一連式のものであってもよいし、はつ土板４の反転方向を左右に変換できる互用式のものであってもよい。更に、両側反転式の固定型のものであってもよいが、このタイプのものであると、隣接するプラウ５の間隔を狭めるか或いは耕起域をずらせて再耕起するかして未耕起部分を残さないようにする必要がある。
【００１７】
【発明の効果】
以上、本発明によれば、土は、はつ土板で耕起されるごとに表土と底土とが入れ替わるから、耕耘層に栄養分を万遍なく分散させることができる。又、大型ロータリ以上の深耕が可能であり、所要動力も小さくてすむ。一方、耕起された土は高圧空気によって破砕されるから、破砕土粒間に多くの空気を含み、土壌中の気相割合を増やす効果も期待できる。
【図面の簡単な説明】
【図１】本発明の一例を示す耕耘装置の側面図である。
【図２】本発明の一例を示す耕耘装置の平面図である。
【図３】本発明の一例を示す耕耘装置の正面図である。
【図４】本発明の一例を示す耕耘装置による耕耘状態の平面説明図である。
【図５】本発明の一例を示す耕耘装置による耕耘状態の断面説明図である。
【図６】本発明の他の一例を示す耕耘装置の一部斜視図である。
【図７】本発明の他の一例を示す耕耘装置の一部斜視図である。
【符号の説明】
２    ビーム
４    はつ土板
５    プラウ
１４  トラクター
【図１】
0003683768.tif 000002
【図２】
0003683768.tif 000003
【図３】
0003683768.tif 000004
【図４】
0003683768.tif 000005
【図５】
0003683768.tif 000006
【図６】
0003683768.tif 000007
【図７】
0003683768.tif 000008